Podtech/llm-jp-corpus-v4-ja_patent huggingface dataset:
(57)【要約】      （修正有）【課題】印鑑ケースから印鑑を取り出して、そのまま押印できるようにする。【解決手段】印鑑ケースの蓋２に、印鑑１を差込み、印鑑ケース本体３の底部には印肉液吸収体５や弾性体６を内蔵するキャップ４を接続する。印鑑１を差込んだ印鑑ケースの蓋２を印鑑ケース本体３に収納する。そのときに印鑑の押印面に印肉液が付着する。押印するときには、ケースの蓋２と印鑑１を同時に引き出せて、そのまま押印することができる。印肉を用意する必要はない。【選択図】図１
0003131171.tif 000002
【実用新案登録請求の範囲】
【請求項１】
印鑑を保持する為の受け穴を持つ蓋と、先端に印肉液吸収体と弾性体を保持するキャップを接続した筒状の印鑑ケース本体との構成からなる印鑑ケース。
【考案の詳細な説明】
【技術分野】
【０００１】  本考案は、印鑑ケースに関する
【背景技術】
【０００２】  従来の印鑑ケースは、印鑑ケースの蓋を開けて、印鑑を取り出して、押印面に印肉を付着させてから押印するという一連の動作が行われていた。
また、蓋を開けてすぐ押せるゴム製の印鑑はあるが、使用には制限がある。
【考案の開示】
【考案が解決しようとする課題】
【０００３】  今までの印鑑ケースは、押印する時には、印鑑ケースの蓋を開けて、印鑑を取り出して押印面に印肉を付着させて押印する、といった一連の工程で押印していた。
また印肉も別に用意する必要があった。
本考案はこの一連の工程を少なくして、ケースから取出したまま押印できるようにするものである。
【課題を解決するための手段】
【０００４】  印鑑を収納する為の印鑑ケース本体と、このケースの入口を塞ぐ為の蓋を組み合わせる。
蓋には、印鑑の一部分を差し込める大きさの穴を設けて、ここに印鑑の後部の一部を差し込む。
また印鑑収納ケース本体の先端には、印肉液を吸収する吸収体や弾性体を内蔵する。
印鑑を印鑑ケース本体に収納した状態では、印鑑の押印部分がこの印肉に密着するような位置に設定する。更に印肉吸収体や弾性体を保持するキャップとの接続部分は、ネジや溝を掘り印鑑ケース本体から取り外しができるようにして印肉液を補充できるようにする。
【考案の効果】
【０００５】  本考案では、印鑑ケースに印鑑を収納した時点で、内蔵している印肉が、印鑑の押印面に密着して印肉液が付着する為に、印鑑ケースから印鑑を取り出して、そのまま押印できる。
印肉に印鑑をつける手間がはぶける。更に、部品数が少なくて、小型、軽量、安価な製品となる。
【考案を実施するための最良の形態】
【０００６】  図１に示すように、印鑑ケース蓋２の内側に印鑑１の後部を差し込める大きさの穴を設ける。
この内側の穴に図１（Ｂ）のように印鑑１を印鑑ケースの蓋２に差し込む。
印鑑ケース本体３図１（Ａ）と、印鑑の差し込まれた蓋２には、両者が接続できるように、ネジや溝をつける。更に、印鑑ケース本体３の先端部分には、印肉液を吸収させた印肉液吸収体５と弾性体６を詰め込み，印鑑１を印鑑ケース本体３に収納した時（図２）に押印部分が印肉液吸収体５に密着させるため、弾性体６が収縮や膨張の作用でこれを補う。この印肉液吸収体５や弾性体６を保持するキャップ４にも、ネジや溝を設けて、印肉液を補充するときに取り外しができるようにする。
【産業上の利用可能性】
【０００７】  部品数が少なく作成原価が安く、軽量、小型、の為、低価格製品としての大量生産が可能。
印鑑の蓋を取り、そのまま押印できるゴム製の印鑑があるが、普通の印鑑でも、本考案の印鑑ケースを使用すると、蓋を取り、そのまま押印することができる。
安価な製品となるため家庭用から会社のサービス用品等として需要範囲が広い。
【図面の簡単な説明】
【０００８】
【図１】  本考案に係る印鑑ケース本体（Ａ）と蓋に付けられた印鑑（Ｂ）の断面図。
【図２】  本考案に係る印鑑を収納した状態の断面図。
【符号の説明】
【０００９】１  印鑑
２  印鑑１が差込まれた状態の印鑑ケースの蓋
３  印鑑ケース本体
４  印肉液吸収体５や弾性体６を保持するキャップ
５  印肉液吸収体
６  弾性体
【図１】
0003131171.tif 000003
【図２】
0003131171.tif 000004
(57)【要約】      （修正有）【課題】一般的な手提げ付紙袋に覆い紙を設けることにより、内容物を覆い隠すことによってプライバシーを確保し、簡易包装を可能にすると共に紙袋の再使用を奨励することができる紙袋を提供する。【解決手段】一般的な手提げ付紙袋の提げ手１の付いている側面２の内側に、片側だけ、提げ手のやや下方から底部に達する長さで側面とほぼ同じ幅を有する覆い紙４を、紙の上方のみを本体に接着する形で設けることにより、内容物を覆い隠す。【選択図】図１
0003131153.tif 000002
【実用新案登録請求の範囲】
【請求項１】
一般的な手提げ付紙袋の提げ手の付いている側面の片側の内側に、上方のみを本体に接着する形で覆い紙を設けることにより、内容物を覆い隠すことを可能にする手提げ付紙袋
【考案の詳細な説明】
【技術分野】
【０００１】  本考案は、従来の一般的な手提げ付紙袋に、内容物を隠すための覆い紙を設けることにより簡易包装を可能にし、２次使用を奨励する手提げ付紙袋に関するものである。
【背景技術】
【０００２】  デパートなどで消費者に商品を渡す場合、商品を一旦手提げではない四角柱の紙袋で包装し、それをさらに手提げ付の紙袋に入れるという包装形態がとられている。
【考案の開示】
【考案が解決しようとする課題】
【０００３】  通常の手提げ付紙袋の場合、内容物が上から見えてしまうという問題点があり、プライバシー保護の観点からも、内容物が何かわからないようにするには２重に包装せざるを得ない。丁寧な包装である一方、省資源が叫ばれている昨今、過剰包装であり好ましくない。手提げ付紙袋は、本来の用途に使用された後も、私物を入れて２次利用することが多いが、この場合も、内容物が見えないほうが望ましい。
【課題を解決するための手段】
【０００４】  本考案は、一般的な手提げ付紙袋の提げ手の付いている側面の内側に、片側だけ、提げ手のやや下方から底部に達する長さで側面とほぼ同じ幅を有する覆い紙を、紙の上方のみを本体に接着する形で設けることにより、この課題を解決している。【０００５】  手提げ付紙袋に内容物を入れた際に、片面に貼り付けられた覆い紙をめくり、内容物を覆い隠すようして他の側面へ差し込むようにする。覆い紙は完全な蓋体となるわけではないが、上から見ても内容物がわからないようになる。
【考案の効果】
【０００６】  上述のように覆い紙を設けることにより、内容物が見えなくなるので、消費者のプライバシーが保護され、過剰な包装を不要にすることができる。覆い紙には十分な長さがあるので、紙袋の上方一杯にまで内容物を入れた場合にも、その上から覆い隠すことができる。また手提げ付紙袋は、本来の用途に使用された後も、私物を入れて２次利用されることが多いが、内容物が見えない袋であれば再使用する消費者が増え、省資源化に貢献できると推測できる。２次使用の際には、覆い紙が完全な蓋体でないことにより、かえって出し入れがスムーズで好都合となる。【０００７】  通常の手提げ付紙袋は、側面に様々な意匠が施されているが、本考案の紙袋では、覆い紙にも意匠を施すことが可能になり、よりデザイン性や宣伝性を高めることができる。また、上述のように、私物を入れて再利用する消費者が増えれば、宣伝効果は更に大きくなる。次回来店の際に紙袋を持参すれば割引が得られるなどのサービスを提供するなどすれば、再来の顧客確保にも効果があり、また紙袋の再利用を奨めることもできる。消費者に２次使用されることを想定した紙袋を提供することが、大幅な省資源化、ゴミの減少化につながると考えられる。【０００８】  内容物を覆い隠す必要がなければ、覆い紙は片側の側面内側に貼り付いている状態のままで、通常の手提げ付紙袋として利用することができる。薄く畳んで保管する際にもじゃまにならない。
【考案を実施するための最良の形態】
【０００９】  通常の手提げ付紙袋の、提げ手の付いている側面の内側に、片側だけ、提げ手の付けられているあたりのやや下方に、接着場所から底部に達する長さで、側面の幅よりもやや狭い幅を持つ覆い紙を、紙の上方のみを本体に接着する形で設置する。通常、紙袋を畳む際には、底部を畳むために片側面の下方に折り目をつける必要があるが、折り目がつかない方の面に覆い紙を設置すると、覆い紙自体に折り目がつかないのでよい。【００１０】  紙袋本体の外側側面に意匠を施すのみならず、覆い紙にも意匠を施すことによってデザイン性を高めることができる。外側が無地で、覆い紙だけに意匠を施すのもよい。覆い紙の素材は、紙袋本体を形成する素材よりも柔らかいほうがよいが、硬い紙に細幅の多くの折り目をつけ、シャッター状にするのもよい。２次使用されることを想定し、本体、覆い紙ともに耐性のある素材で作成するのが望ましい。紙でなくとも、ビニール、プラスティック等の素材を用いてもよい。
【実施例】
【００１１】  以下、添付図面に従って一実施例を説明する。１は紙袋の提げ手、２は紙袋本体、３は提げ手を本体に接着・補強するための紙であり、紙製の一般的な紙袋の形状である。４が本考案の覆い紙である。５は、実際に覆い紙を使用している状態の、紙袋の内容物である。
【図面の簡単な説明】
【００１２】
【図１】本考案の覆い紙付エコ手提げ紙袋の１実施例を示す斜視図である。
【図２】本紙袋の覆い紙未使用時の状態を示す一部切欠断面図である。
【図３】本紙袋の保管時の状態を示す一部切欠断面図である。
【図４】本紙袋の覆い紙使用時で、内容物が少ない状態を示す一部切欠断面図である。
【図５】本紙袋の覆い紙使用時で、内容物が多い状態を示す一部切欠断面図である。
【符号の説明】
【００１３】  １  提げ手
２  紙袋本体
３  提げ手を本体に接着・補強する紙
４  覆い紙
５  内容物
【図１】
0003131153.tif 000003
【図２】
0003131153.tif 000004
【図３】
0003131153.tif 000005
【図４】
0003131153.tif 000006
【図５】
0003131153.tif 000007
【手続補正書】
【提出日】平成19年1月12日(2007.1.12)
【手続補正１】
【補正対象書類名】実用新案登録請求の範囲
【補正対象項目名】全文
【補正方法】変更
【補正の内容】
【実用新案登録請求の範囲】
【請求項１】
手提げ付紙袋の提げ手の付いている側面の片側の内側に、上方のみを本体に接着する形で覆い紙を設けることにより、内容物を覆い隠すことを可能にする手提げ付紙袋
(57)【要約】      （修正有）【課題】自動車内で発生する静電気の除去を、背あて付き座ぶとん及びシートカバーで行う。【解決手段】帯電防止布を用いた座ぶとんやシートカバーを製造し、これを自動車の運転者や同乗者が利用すれば、発生する高圧の静電気は直に放電、除電され、静電気による災害や電撃による不快感から解放される。【選択図】図１
0003131155.tif 000002
【実用新案登録請求の範囲】
【請求項１】
主として自動車内で使用する帯電防止性能をもつ、背あてつき座ぶとん。
【請求項２】
主として自動車内で使用する帯電防止性能をもつ、シートカバー。
【考案の詳細な説明】
【技術分野】
【０００１】本考案は自動車内で発生する静電気の除去に関するものである。
【背景技術】
【０００２】自動車の運転者や同乗者は、臀部や背中が座席シートを摩擦するなどして、高圧の静電気を人体に帯電せしめる。
特に低湿度下に顕著となる。
【考案の開示】
【考案が解決しようとする課題】
【０００３】人体に高圧の静電気が帯電すると、放電時に可燃性のガスや、粉塵等への引火、爆発、火災を引き起こす恐れがあり、また電撃ショックによる不快感も生じる。
【課題を解決するための手段】
【０００４】本考案は既に製品化されている帯電防止布（帝人ファイバー株式会社のセルガード等）を利用する。
帯電防止布ないし除電布は導電糸が織り込まれたものである。
この布で、背あてつき座ぶとんやシートカバーを、人体に接する部分について被うように縫製することにより、上述の問題を解決した。
【考案の効果】
【０００５】上述のように、本考案を自動車等の運転者が、除電クッションや背あてに用いるならば、発生する静電気は直ちに放電され、電圧は３，０００ボルト以下に抑えられ、電撃ショックなどから解放されることになる。
【考案を実施するための最良の状態】
【０００６】帯電防止布を用い縫製した、背あて付きの座ぶとん（クッション）やシートカバーは、運転者や同乗者の臀部や背中にフィットさせることが望ましく、クッションやシートを座席に固定するベルトや紐などを装着する。
【実施例】
【０００７】以下、添付図面に従って説明する。
１は、背あて付き座ぶとん。
２は、シートのヘッドレストに固定するための紐。
３は、座席部を固定するための紐ないしベルト。
４は、１の側面図【０００８】５は、シートカバー
６は、自動車のヘッドレストに固定するための紐。
７、８は、座席部への固定用紐。
９は、５の側面図。
【図面の簡単な説明】
【０００９】
【図１】  本考案の帯電防止用の背あて付き座ぶとんの斜視図及びその側面図。
【図２】  本考案の帯電防止用のシートカバーの斜視図及びその側面図。
【符号の説明】
【００１０】１  背あて付き座ぶとん本体
２  紐やベルト
３  紐やベルト
４  背あて付き座ぶとんの側面図
５  シートカバー本体
６  紐やベルト
７  紐やベルト
８  紐やベルト
９  シートカバーの側面図
【図１】
0003131155.tif 000003
【図２】
0003131155.tif 000004
【手続補正書】
【提出日】平成19年1月15日(2007.1.15)
【手続補正１】
【補正対象書類名】実用新案登録請求の範囲
【補正対象項目名】全文
【補正方法】変更
【補正の内容】
【実用新案登録請求の範囲】
【請求項１】
導電糸を織り込んだ帯電防止布を用いた、背あてつき座ぶとん。
【請求項２】
導電糸を織り込んだ帯電防止布を用いた、車のシートカバー。
(57)【要約】【課題】本考案は、パレツト台にガイドレ−ルと段積み用の支柱を取り付けることによりケ−ブルドラムの積み込み作業の効率及び安全性の向上を図る事と、ケ−ブルの損傷防止等の品質向上、およびトラツクへの積み込み量の増大を図る事が出来ることにより、物流コストの低減が出来る。【解決手段】本考案は、パレツト台４にガイドレ−ル２を取り付けることによりケ−ブルドラムを容易にパレツト台上に取り付けが出来る、またガイドレ−ル２とガイドレ−ル固定ア−ム８とを結合することでケ−ブルドラムのずれ等は防止できる、尚支柱１０と支柱ガイド穴１１とを結合することによりパレツ台を段積みすることが出来て運送数量を増大出来る。【選択図】図１
0003131151.tif 000002
【実用新案登録請求の範囲】
【請求項１】
ケ−ブルドラムを搬送用のパレツトに積み込む場合にパレツトと一体化したガイドレ−ルを取り付けた構造を特徴とした搬送用パレツト。
【請求項２】
ケ−ブルドラムをパレツトに固定する場合、縦及び横方向のずれをガイドレ−ルの溝のみで防止する事を特徴とした搬送用パレツト。
【請求項３】
４本の支柱を立てて、ケ−ブルドラムの段積み搬送が出来ることを特徴とした搬送用パレツト。
【考案の詳細な説明】
【技術分野】
【０００１】  本考案はケ−ブルを巻き付けたドラムをトラツク等にフォ−クリフトにて積み込みする場合、または運搬する場合にケ−ブルに損傷または断線等の問題を防止する事と、トラツクへの積載量を増す事が出来て、ドラム一個当たりの物流コストを低減することを目的としたパレツトに関するものである。
【背景技術】
【０００２】  ドラムをトラツクへ積み込む場合はフォ−クリフトのツメが当たる部分のみに簡単なシ−トを巻きつけて積み込み作業をしていた、またその状態で運搬をしていた。
【考案の開示】
【考案が解決しようとする課題】
【０００３】  ドラムを直接フォ−クリフトにて積み込みする場合にツメが直接ケ−ブルに干渉したり、または、運搬中にドラムどうしがぶつかりケ−ブルの損傷や切断が発生して大きな品質問題を起こしていた。また、運搬中のドラムは平置きのため運搬数量が限定されドラム一個当たりの運搬費用が高くついていた。
【課題を解決するための手段】
【０００４】  本考案は、ドラムを収納する為の専用パレツトを設け、専用パレツトにはドラムを人手にて転がして搬入してすぐ固定し、転がりおよび横ずれを防止する。またトラツクへの積み込みはフォ−クリフトにてパレツト台ごと積み込むためにケ−ブルの損傷が無く、尚トラツクへの積み込み数量も専用パレツトを段積みすることにより各問題が解消する。
【考案の効果】
【０００５】  上述の様に、本考案はケ−ブルドラム搬送用パレツトをトラツクへの積み込み時間の短縮と作業者の安全が図られる事に加え、ケ−ブルの破損はもとより運搬中のドラムどうしの干渉による損傷、断線が防止出来ること、または、ドラムの運搬数量を増大出来ることにより物流コストを低減出来る効果がある。
【考案の実施するための最良の形態】
【０００６】四角状パレツトの一面はドラムを搬入する為に開放してあり、ガイドレ−ル上を人手によりドラムを転がしながらパレツト台上に送り込まれると、ガイドレ−ルを垂直に立ち上げて上部からガイドレ−ル固定ア−ムを下ろしてガイドレ−ルに引つかけてロツクすることによりドラムは横にも縦にもずれることがなく固定される。またパレツト台には４本の支柱が取り付けてありパレツトを段積みにする場合の上下パレツトの連結用として固定できる。
【実施例】
【０００７】  以下、添付図面に従つて一実施例を説明する。１はケ−ブルドラムで、其の他全ての材料は軽量化の為軽合金を使用した、２はドラムをパレツト台４に送り込む為のガイドレ−ルでありドラムが送り込まれると垂直に立ち上げる事が出来る、次にガイドレ−ル固定ア−ム８を下に下げガイドレ−ル２に固定させる。
尚、ドラムの固定位置決めは、横方向はドラムストツパ５とガイドレ−ル２で決まり、縦方向も同じくドラムストツパ５の切り欠き溝とガイドレ−ル２のガイド溝で決まる。【０００８】１２はフォ−クリフトのツメを縦方向から挿入する口で１３は同じく横方向から挿入する口である。【０００９】  １０支柱はパレツト台４の四隅に直立に立つてあり、パレツトを段積みする場合の上下パレツトの固定をする案内用の支柱であり、反対のパレツト台４の底面には支柱ガイド穴１１が設けてあり支柱１０と結合されることで完全に固定され、トラツクでの段積み搬送ができる。
【図面の簡単な説明】
【００１０】
【図１】パレツトを段積みした状態の縦側面図である。
【図２】図１の上面図である。
【図３】パレツトを段積みした状態の横側面図である。
【図４】ケ−ブルドラムを積み込む経路を示す側面図である。
【図５】図４の上面図である。
【図６】ケ−ブルドラムをパレツト台に固定した状態を示す側面図である。
【図７】Ｘ−Ｘ部の断面図である。
【符号の説明】
【００１１】  １ケ−ブルドラム
２ガイドレ−ル
３ピン
４パレツト台
５ドラムストツパ−
６ア−ム支柱
７ア−ムストツパ−
８ガイドレ−ル固定ア−ム
９ピン
１０支柱
１１支柱ガイド穴
１２縦側リフトツメ挿入口
１３横側リフトツメ挿入口
【図１】
0003131151.tif 000003
【図２】
0003131151.tif 000004
【図３】
0003131151.tif 000005
【図４】
0003131151.tif 000006
【図５】
0003131151.tif 000007
【図６】
0003131151.tif 000008
【図７】
0003131151.tif 000009
【手続補正書】
【提出日】平成18年11月22日(2006.11.22)
【手続補正１】
【補正対象書類名】実用新案登録請求の範囲
【補正対象項目名】全文
【補正方法】変更
【補正の内容】
【実用新案登録請求の範囲】
【請求項１】
ケーブルドラムを搬送用パレツトに容易に積み込むためにパレツトと一体化したガイドレールを取り付け、また縦及び横方向のずれを防止するためにガイドレール上に溝を設けたことを特徴としたケーブルドラム搬送用パレツト。
【請求項２】
搬送用パレツトの４隅に４本の支柱とガイド穴を設け、ケーブルドラムを２段積み出来ることを特徴とする請求項１記載のケーブルドラム搬送用パレツト。
(57)【要約】【課題】  バスタオル、あるいはスポーツタオルに目安目盛を設け、タオル使用時に臍部周囲径に意識を向けることで内臓脂肪蓄積により生ずるメタボリック症候群の予防、是正を促す。【解決手段】  本考案は横幅が１１０ｃｍ以上あり、防縮加工がされたバスタオルあるいはスポーツタオルなどの長手方向一端から約１０ｃｍの部分に臍部に合わせる印を置いて、その印から横に８０ｃｍ、８５ｃｍ、９０ｃｍの距離の部位にそれぞれの印あるいはタオルの色調の変化を設け、入浴後など裸でいるときに人目を気にすることなく、体を拭いた後のタオルをそのまま臍高部に巻くことで極めて容易に腹囲の目安を知ることが可能であり、基準値を超えていた場合には注意が喚起され、内臓脂肪蓄積によるメタボリック症候群の改善に役立つ。【選択図】図１
0003131157.tif 000002
【実用新案登録請求の範囲】
【請求項１】
バスタオル、あるいはスポーツタオルの一定の長さの部位に目安となる印と色調の変化を設けて、入浴後などに腹部にこれを巻くことで臍高部の腹囲径に意識を向け、内臓脂肪蓄積により生ずるメタボリック症候群の予防、是正を促すところを特徴とした目安目盛付タオル
【考案の詳細な説明】
【技術分野】
【０００１】  本考案は、バスタオル、あるいはスポーツタオルの長手方向の縁に一定の長さの目安となる印と色調の変化を設けたタオルに関するものである。
【背景技術】
【０００２】  心筋梗塞や脳卒中を生じる危険が高く、国民病としてその対策が急がれている生活習慣病のメタボリック症候群においては、その診断基準の必須項目になっていることから分かるように臍高での腹囲径が内臓脂肪の蓄積の指標として重要な意味を持つ。このため一般の巻尺等を用いて、日常的に腹囲を測定することが広く推奨され始めている１）。【０００３】  １）日本医事新報：ＮＥＷＳ  メタボリックシンドロームの臨床でシンポ  Ｎｏ．４２７９  １８−１９
【考案の開示】
【考案が解決しようとする課題】
【０００４】  日常的に腹囲を測定する意義は理解されても、その都度巻尺を用意し腹囲測定のために衣服を着脱することは煩雑であり、日常生活の中でこれを実践、継続していくことは困難である。従って入浴後、裸の状態で、体を拭く際に用いるタオルにメタボリック症候群の診断基準となる長さの目安の印を付け、体を拭いた後のタオルを臍高部に巻くことで日常的に自らの腹囲の危険度を知ることを可能とするものである。
【課題を解決するための手段】
【０００５】  本考案は、バスタオルあるいはスポーツタオルの横幅の一端から１０ｃｍ程度の部位に臍部に合わせる基準となる印を置き、この印から一定の距離の部位に複数の印あるいは色調の変化を設けることで、タオル使用時に臍高部にタオルを巻くことだけで容易に自らの腹囲が危険域にあるか否かを知ることができることで問題点を解決している。
【考案の効果】
【０００６】  本考案の腹囲チェック用目安目盛付タオルは、入浴後など裸でいるときに人目を気にすることなく、体を拭いた後のタオルをそのまま臍高部に巻くことで極めて容易に腹囲の危険度を知ることが可能であり、基準目安を超えていた場合には自らの食生活や運動習慣などへの注意が喚起され内臓脂肪蓄積によるメタボリック症候群の改善に役立つ。
【考案を実施するための最良の形態】
【０００７】    横幅が１１０ｃｍ程度以上あるバスタオルあるいはスポーツタオルなどの長手方向の両縁の端から約１０ｃｍの部位に臍部に合わせる印を置き、その印から横方向に８０ｃｍ、８５ｃｍ、９０ｃｍの距離の部位にそれぞれの目安となる印あるいはタオルの色調の変化を設ける。平成１７年に提唱されたわが国の現行のメタボリック症候群の診断基準では、男性８５ｃｍ、女性９０ｃｍ以上の腹囲が診断の必須項目とされているが、女性では８０ｃｍ以上、男性では９０ｃｍ以上が妥当との異論もあり、８０ｃｍの部位にも目安となる印を設けて今後同基準の改定があった際にも使用継続が可能なようにする。
【実施例】
【０００８】  以下、添付図面に従って実施例を説明する。１は長手方向の長さが１１０ｃｍ以上あるバスタオルあるいはスポーツタオルの生地であり、１ａ、１ｂは長手方向の上下の側縁である。２は、タオルの長手方向の上下の側縁の端から約１０ｃｍの部分に設けた臍部に合わせる基準目安の印である。タオルを持ち片手で臍部に２を合わせ、もう一方の手で体幹部に水平にタオルを巻くことで、臍高部の腹囲が３ａ、３ｂ、３ｃのいずれの目安に近いかを知ることができる。４ａ、４ｂ、４ｃはそれぞれ異なる色調に着色し、同じくそれぞれの色調で臍高部の腹囲を知る目安として用いる。
【図面の簡単な説明】
【０００９】
【図１】考案の腹囲チェック用目安目盛付タオルの一実施例を上から見た図である。
【符号の説明】
【０００１０】１  バスタオルあるいはスポーツタオル生地
１ａ、長手方向上の側縁
１ｂ  長手方向下の側縁
２  臍部に合わせる基準目安の印
３ａ  ２から８０ｃｍの部位に設けた目安
３ｂ  ２から８５ｃｍの部位に設けた目安
３ｃ  ２から９０ｃｍの部位に設けた目安
４ａ  ２から８０ｃｍと８５ｃｍの間に設けたタオルの色調の変化部分
４ｂ  ２から８５ｃｍと９０ｃｍの間に設けたタオルの色調の変化部分
４ｃ  ２から８５ｃｍと９０ｃｍの間に設けたタオルの色調の変化部分
Ｌ１  長さ８０ｃｍ
Ｌ２  長さ８５ｃｍ
Ｌ３  長さ９０ｃｍ
Ｌ４  長さ約１０ｃｍ
【図１】
0003131157.tif 000003
【手続補正書】
【提出日】平成19年1月22日(2007.1.22)
【手続補正１】
【補正対象書類名】実用新案登録請求の範囲
【補正対象項目名】全文
【補正方法】変更
【補正の内容】
【実用新案登録請求の範囲】
【請求項１】
バスタオルあるいはスポーツタオルの横幅の一端から１０ｃｍ程度の部位に臍部に合わせる基準目安の印を置き、この印から一定距離の部位に複数の印を付けた目盛目安付タオル
【請求項２】
バスタオルあるいはスポーツタオルの横幅の一端から１０ｃｍ程度の部位に臍部に合わせる基準目安の線を置き、この線から８０ｃｍ、８０ｃｍから８５ｃｍ、８５ｃｍから９０ｃｍの幅に色調の変化を付けた目盛目安付タオル
(57)【要約】      （修正有）【課題】既存ナンバープレート枠との同時装着を可能とすることによって，意匠性並びにナンバープレートの保護と視認性の向上を図る。【解決手段】デザインナンバープレートカバー本体２を既存のナンバープレート枠１とナンバープレート３との間に重ねるように揃え，前部ナンバープレートは二本のナンバー取り付けボルト１０で，後部ナンバープレートは封印部分に封印箇所固定穴をはめ込み，一本のナンバー取り付けボルトで固定する。また、既成の全てのナンバープレート枠と同時装着が出来るよう，ナンバープレートと同形状，同寸法のうえカバー本体を薄く成形する。【選択図】図１
0003131106.tif 000002
【実用新案登録請求の範囲】
【請求項１】
ナンバープレートと同寸法，同形状の樹脂製カバーを作成することにより，既存のナンバープレート枠との同時装着を可能とするとともに，樹脂製カバーに透明顔料によって柄を印刷するところを特徴とするデザインナンバーカバー。
【考案の詳細な説明】
【技術分野】
【０００１】
本考案は既存の全てのナンバープレート枠とも同時装着が可能で透明顔料によって柄が印刷されたナンバープレートカバーに関するものである。
【背景技術】
【０００２】
既存のナンバープレート枠，ナンバープレートカバーは，今までの形状では同時装着は不可能であり，互いの利点を同時に得ることが不可能であった。更にカバー面が無地のみしか存在しておらず，デザイン性に欠けていた。
【考案の開示】
【考案が解決しようとする課題】
【０００３】
ナンバープレート枠は意匠性に優れており，ナンバープレートカバーはナンバープレートの保護になるが，従来の製品では同時装着が不可能であったため，いずれかの利点を犠牲にしなければならなかった。従って，ナンバープレート枠と同時装着が可能なデザインナンバープレートカバーを作成することにより，互いの利点を得ようとするものである。更にカバー面に透明顔料により柄を印刷することにより新たなデザインの向上が見込まれるものである。
【課題を解決するための手段】
【０００４】
本考案はナンバープレートカバーを既存の全てのナンバープレート枠内に収まるよう，透明又は半透明の樹脂板をナンバープレートと同寸法，同形状であり更に薄く成形することにより，既存のナンバープレート枠とナンバープレートの間に挟むように装着が出来るようにしたことで，従来の問題点を解決している。更にカバー面に半透明で柄を印刷することにより，従来にはない幅広いデザイン性を持つことを可能としている。
【考案の効果】
【０００５】
上途のように，本考案のデザインナンバープレートカバーはナンバープレートカバーの持つ，ナンバープレートの保護，視認性の向上は勿論のこと，ナンバープレート枠の持つ意匠性も得ることが出来る。
【考案を実施するための最良の形態】
【０００６】
デザインナンバープレートカバー本体を既存のナンバープレート枠とナンバープレートとの間に重ねるように揃え，前部ナンバープレートは二本のナンバー取り付けボルトで，後部ナンバープレートは封印部分に封印箇所固定穴をはめ込み，一本のナンバー取り付けボルトで固定する。
【図面の簡単な説明】
【０００７】
【図１】本考案のデザインナンバープレートカバーの前部ナンバーへの装着例の斜影図である。
【図２】本考案のデザインナンバープレートカバーの後部ナンバーへの装着例の斜影図である。
【図３】本考案の前部ナンバー用デザインナンバープレートカバーの正面図である。
【図４】本考案の後部ナンバー用デザインナンバープレートカバーの正面図である。
【図５】本考案のデザインナンバープレートカバーの前部ナンバーへの装着例の側面図である。
【図６】本考案のデザインナンバープレートカバーの後部ナンバーへの装着例の側面図である。
【符号の説明】
【０００８】
１  既存の前部用ナンバープレート枠
２  前部用デザインナンバープレートカバー
３  前部ナンバープレート
４  取り付け穴
５  封印箇所固定穴
６  既存の後部用ナンバープレート枠
７  後部用デザインナンバープレートカバー
８  後部ナンバープレート
９  封印
１０  ナンバー取り付けボルト
【図１】
0003131106.tif 000003
【図２】
0003131106.tif 000004
【図３】
0003131106.tif 000005
【図４】
0003131106.tif 000006
【図５】
0003131106.tif 000007
【図６】
0003131106.tif 000008
(57)【要約】【課題】  本考案はメジャー本体内部にぜんまいを追加し、メジャーテープを巻取る際にからくりを持たせる事で楽しくおもちゃのように遊ぶことが玩具メジャー。【解決手段】  本考案はメジャー本体内部にギア（１）を追加し、さらにメジャーの外観（５）を乗り物や、動物、植物等をモチーフにしメジャーテープを巻取る際に、からくりが働きおもちゃのように遊び学習する事ができるようにした。【選択図】図１
0003131169.tif 000002
【実用新案登録請求の範囲】
【請求項１】
（イ）乗り物や動物植物等の外観でプラスチック等で作られた外層カバー（５）の内部に寸法やキャラクターの印刷されたメジャーテープ（７）と連結された巻き取りバネ（２）これと連動したギア（１）、ストッパ（３）を設け、足や車輪（４）を設ける。
（ロ）メジャーテープ（７）の先端には吸盤（６）を設けた。
以上の構成のからくりをつかった玩具メジャー
【請求項２】
メジャーテープ（７）の先端には虫や花等のモチーフを設けた請求項１のからくりを使った玩具メジャー
【考案の詳細な説明】
【技術分野】
【０００１】  本考案は、メジャー本体部に巻き取り用のゼンマイを内蔵し、このゼンマイと連動した動きをなす部位とおもしろい外観をした楽しい玩具メジャーに関するものである。
【背景技術】
【０００２】  従来のメジャーは自動的に巻き取ることができるにも関わらず今ひとつ面白みに欠けた、計測専用のものであった。
【考案の開示】
【考案が解決しようとする課題】
【０００３】  従来のメジャーは内部に巻き取り機構、ストッパ等を設け、概略箱形のものであり、子供が手軽にメジャーを手にして物等の大小の体験学習をする事ができるほど身近においたり、興味を引くものではなかった。
【問題を解決するための手段】
【０００４】  本考案はメジャー本体内部にメジャーテープの自動巻き取り機構、この機構と連動したギアとストッパを設け、メジャー本体の外観を人形や乗り物等とし、メジャーテープの先端に楽しい細工を施した。
【考案の効果】
【０００５】  （イ）メジャーの機構を人形や乗り物等をかたどりした外箱にいれ、乗り物や足を設けることができるため、メジャーテープの巻き取り時にテープの先端を押さえた状態で巻き取ると人形や乗り物が動き楽しく身近なものとなる。
（ロ）メジャーテープの先端に虫な花等を設けることができるためこれらがメジャーテープの巻き取り時に人形等の口の中に吸い込まれるため驚きと共に楽しく使用できる。
【考案を実施するための最良の形態】
【０００６】  メジャー本体の外観を動きのある物、例えば動物、車両とし、メジャーテープ及びテープの先端に小動物や草花をモチーフとしたものを設け、メジャー本体の内部にテープ巻き取り機構及びストッパ機構を設ける。
【実施例】
【０００７】  以下、添付図面に従って一実施例を説明する。
（イ）乗り物や動物植物等の外観でプラスチック等で作られた外層カバー（５）の内部に寸法やキャラクターの印刷されたメジャーテープ（７）と連結された巻き取りバネ（２）これと連動したギア（１）、ストッパ（３）を設け、足や車輪（４）を設ける。
（ロ）メジャーテープ（７）の先端には吸盤（６）を設ける【０００８】  （イ）乗り物や動物植物等の外観でプラスチック等で作られた外層カバー（５）の内部に寸法やキャラクターの印刷されたメジャーテープ（７）と連結された巻き取りバネ（２）これと連動したギア（１）、ストッパ（３）を設ける。
【図面の簡単な説明】
【０００９】
【図１】本考案のからくりを使った玩具メジャーの一実施例を示すメジャー内部の右側面図である。
【図２】本考案の玩具メジャーの外層右面図である。
【図３】本考案の玩具メジャーの他種の外層右面図である。
【符号の説明】
【００１０】  １  ギア
２  巻取りバネ
３  ストッパー
４  車輪
５  外層カバー
６  吸盤
７  メジャーテープ
【図１】
0003131169.tif 000003
【図２】
0003131169.tif 000004
【図３】
0003131169.tif 000005
(57)【要約】  この考案は、食器や調理器具、野菜等を洗浄する際、多様に対応できるように、粗目スポンジ（１）と一般的なスポンジ（２）とを貼りあわせた構成のスポンジたわしであって、粗目スポンジ（２）ではザルなどを粗い、一般的なスポンジ（１）面では食器などを洗えるスポンジたわしを提供する。【解決手段】２５立方ミリメートルの中にセルを約１０個前後有し、該セル表面は無膜状態で骨格のみとなる目の粗く堅質なスポンジ体（一般的に８番という）を、厚み５ｍｍ〜１０ｍｍのシート状に形成し、該粗目スポンジ体の表面または裏面に、２５立方ミリメートルの中にセルを約１０個以上有したスポンジ体（一般的に１３番とうい規格以上のもの）を貼り合わせた、食器等を洗浄するためのスポンジたわし。【選択図】図２
0003131161.tif 000002
【実用新案登録請求の範囲】
【請求項１】
２５立方ミリメートルの中にセルを約１０個前後有し、該セルの表面は無膜状態で骨格のみとなる目の粗く堅質なスポンジ体を厚み５ｍｍ〜１０ｍｍのシート状に形成し、該粗目スポンジ体の表面または裏面に、同形状の２５立方ミリメートルの中にセルを約１０個以上有した目の細かいスポンジ体を貼り合わせた、食器等を洗浄するためのスポンジたわし。
【考案の詳細な説明】
【技術分野】
【０００１】  この考案は、食器や調理器具、野菜等を洗浄する際、多様に対応できるように、粗目スポンジ（１）と一般的なスポンジ（２）とを貼りあわせた構成のスポンジたわしである。
【技術背景】
【０００２】  従来、ザルやおろし金などを洗う際には、スポンジ面を傷めたり、スポンジの面が網に密着せずよく洗えなかった。またそのような調理器具の洗浄には、ブラシやタワシなどを使用していた。しかし、これらでは洗剤をうまく含むことができず、水洗いに近い状態でしか洗うことができなかった。また、それぞれが別々の道具となっていた。
【考案の開示】
【考案が解決しようとする課題】
【０００３】  そのために次のような問題点があった。
イ．  ザルなどを洗う際、スポンジでは網の表面しかこすることができず、細かいゴミなどが網の間に取り残されることがあった。
ロ．  おろし金などの調理器具を洗う際、スポンジでこすると、スポンジが傷ついてしまい、使えなかった。
ハ．  また、上記イ、ロに述べたものを洗う際、ブラシやタワシ、粗目のスポンジタワシを使うことがあるが、これらを使用するときには洗剤分が保持されにくく、効果的に洗うことができなかった。
ニ．  厚みのある粗目のスポンジタワシを使用すると、スポンジの間に小さなゴミが入る場合があるが、奥まで入り込むと取れなくなり、衛生的ではなかった。
本考案は、以上の欠点を解決するために考案されたものである。
【課題を解決するための手段】
【０００４】  ２５立方ミリメートルの中にセルを約１０個前後有し、該表面は無膜状態で骨格のみとなる目の粗く堅質なスポンジ体を厚み５ｍｍ〜１０ｍｍのシート状に形成し、該粗目スポンジ体（一般的に８番という規格）の表面または裏面に、同形状の２５立方ミリメートルの中にセルを約１０個以上有した目の細かいスポンジ体（一般的に１３番という規格以上である）を貼り合わせた、食器等を洗浄するためのスポンジたわし。
【考案の効果】
【０００５】  本考案品を使うことによって、スポンジ（２）に保持された洗剤成分が粗目スポンジ（１）の表面まで泡状で伝わり、粗目スポンジ面を使用してザルなどの調理器具を効果的に洗浄することができる。また、粗目スポンジはゴミやクズなどが入る場合があるが、粗目スポンジ（１）部分は厚さが５ｍｍ〜１０ｍｍと薄いので、ゴミやクズなどが入り込んだ場合にも容易に取り除くことができる。また、スポンジ部分は、通常に食器等の洗浄を行うことができる。
【考案を実施するための最良の形態】
【０００６】  以下、本考案の実施の形態について説明をする。
一般的なスポンジの表面または裏面に、粗目スポンジを貼りあわせたものである。
（イ）  粗目スポンジ（１）は２５立方ミリメートルの中にセルを約１０個前後有し、該表面は無膜状態で骨格のみとなる目の粗く堅質なスポンジ体（一般的に８番という規格）であり、該スポンジ体を厚さ５ｍｍ〜１０ｍｍのシート状にしたものである。
（ロ）  スポンジ（２）は２５立方ミリメートルの中にセルを約１０個以上有した目の細かいスポンジ体（一般的に１３番という規格以上である）であれば、とくに形状、目の状態を限定しない。
本考案は以上の構成よりなっている。
本考案は通常、食器やコップ、鍋などを洗う際はスポンジ（２）面を使う。しかし、ザルやおろし金、多少の焦げ付き、野菜の皮や泥などを洗い流す際、粗目スポンジ（１）面を使うことにより、タワシやブラシと同様の効果で洗浄することができる。
また、洗浄の際に粗目スポンジ（２）に入り込んでしまったゴミやクズも、５ｍｍ〜１０ｍｍの厚さならば取り出すことも容易である。
【図面の簡単な説明】
【０００７】
【図１】本発明の側面図
【図２】本発明の斜視図
【符号の説明】
【０００８】      １  粗目スポンジ
２  スポンジ
【図１】
0003131161.tif 000003
【図２】
0003131161.tif 000004
(57)【要約】      （修正有）【課題】玉物の庭木を被覆でき、冬期間の風雪から庭木を保護できる庭木の保護カバーを提供する。【解決手段】所要直径の円形の防水シートにおいて、シート本体１の周縁に所要数の鳩目２を配設するとともに、全面に所要の通気孔４を貫設し、周縁の一部に標識札５を垂下して成る。このようにして成る庭木の保護カバーＡは、庭木６に支柱を要することなく被せられ、鳩目の孔に通した紐７で庭木の枝８に結んで固着させる。【選択図】図９
0003131165.tif 000002
【実用新案登録請求の範囲】
【請求項１】
所要直径の円形の防水シートにおいて、
シート本体の周縁に所要数の鳩目を配設するとともに、全面に所要の通気孔を貫設し、周縁の一部に標識札を垂下して成る庭木の保護カバー。
【考案の詳細な説明】
【技術分野】
【０００１】
本考案は、主として玉物の庭木の雪囲いに使用する保護カバーに関する。
【背景技術】
【０００２】
庭木などの冬構えに使用する保護カバーとしての技術が、実開平６−７５１４２号公報（特許文献１）に開示されている。該特許文献１における庭木の保護カバーは、襞の伸縮によって庭木の樹形に添って変形させその外周に被覆されるものであるから、縦長の樹形には適応し易いが、玉物の被覆には中心と外周との伸縮差が大き過ぎて不経済な上、頂面での襞が枝葉を圧迫する問題がある。
【特許文献１】実開平６−７５１４２号公報
【考案の開示】
【考案が解決しようとする課題】
【０００３】
本考案は、玉物の庭木をきれいに被覆でき、冬期間の雪害から庭木を保護できる庭木の保護カバーを提供する。
【課題を解決するための手段】
【０００４】
本考案の庭木の保護カバーは、所要直径の円形の防水シートにおいて、
シート本体の周縁に所要数の鳩目を配設するとともに、全面に所要の通気孔を貫設し、周縁の一部に標識札を垂下して成る。
【考案の効果】
【０００５】
本考案の庭木の保護カバーによれば、玉物の庭木への被覆が支柱などの支えを要することなく、シート本体の周縁を庭木の枝に結ぶだけの簡易なものである上、裾周縁の庭木への接触も柔らかで枝葉を傷めず、裾から吹き込む風が通気孔から抜けることで外表面に付着する雪が吹き飛ばされ積もることがないので雪荷重による枝折れや変形などの損傷を受けることなく、円形のシート本体を支柱なしで玉物に被せるため裾の絞りも滑らかな状態で美しく、美感を呈しながら玉物の庭木を雪から保護でき、さらには、使用後の撤去も簡単でその保管も折りたたみによって場所を取らない効果がある。
【考案を実施するための最良の形態】
【０００６】
防水シートからなる円形のシート本体は各種直径のものが選択される。
玉物の樹種や被覆直径などの表示用としての標識札は、シート本体の周縁の一部に鳩目とともに共締めで取着されるものから、適宜取着されるものを含む。材質的には軽量で耐久性があり、雪の滑り易い合成樹脂製のものが選択される。また、玉物への被覆であるからその外表面積が広く目視される点で、カラフルな色彩と模様の組合わせで一層の美感と明るさ、見る楽しさや話題性を加味したものも提供される。
【実施例】
【０００７】
本考案の庭木の保護カバーＡを実施例により説明すると、図１乃至図６に示すように、所要直径の円形の防水シートからなるシート本体１の周縁には所要数の鳩目２を図８に示すように、挿通孔３を貫通して配設するとともに、全面に所要数の通気孔４を図７に示すように表裏に貫通して設け、周縁の一部には被覆対象樹種や被覆直径などを表示する標識札５を鳩目２との共締めによって垂下して成る。
【０００８】
このようにして成る庭木の保護カバーＡは、図９に示すように、玉物の庭木６に支柱を要することなく被せられ、鳩目２の挿通孔３に挿通された紐７を枝８に結んでセンターレス状態でしっかりと被覆される。
その庭木の被覆状態は、滑らかに裾が絞られた状態で枝葉に接触するからそれらを損傷することなく、しかも、裾から吹き込む風が通気孔４から抜けるときに、外表面に降った雪は吹き飛ばされその外力で滑り易い面を滑落し、積もることがないので雪荷重による枝折れや変形などの損傷を受けることがなく、玉物に沿った外形で美感を呈しながら庭木６を冬期間の雪害から安全に保護できる。使用後の撤去は枝８から紐７を解くだけの簡単な作業ですみ、その保管も折りたたみによって場所も取らず、標識札５は再使用時の目安となって便利である。
なお、使用状態ではその外表面が広く目視されることから、色彩的にカラフルなシート本体１を選択したり、絵模様などを取り込むことで演出効果を楽しむこともできる。
【産業上の利用可能性】
【０００９】
本考案の庭木の保護カバーは、軽量で耐久性もある上、庭木への被覆が簡易であり、しかも、安全に玉物を冬期間の雪害から保護できるから、庭木愛好家にとっても造園業界においても、その利用が大いに期待される。
【図面の簡単な説明】
【００１０】
【図１】本考案の庭木の保護カバーＡの正面図。
【図２】図１の背面図。
【図３】図１の右側面図。
【図４】図１の左側面図。
【図５】図１の平面図。
【図６】図１の底面図。
【図７】図１のＡ−Ａ、Ｂ−Ｂ部のＰ−Ｐ矢視部分拡大断面図。
【図８】図１のＣ−Ｃ、Ｄ−Ｄ部のＰ−Ｐ矢視部分拡大断面図。
【図９】庭木の保護カバーＡの使用状態の説明図。
【符号の説明】
【００１１】
１：シート本体
２：鳩目
３：挿通孔
４：通気孔
５：標識札
６：庭木
７：紐
８：枝
Ａ：庭木の保護カバー
【図１】
0003131165.tif 000003
【図２】
0003131165.tif 000004
【図３】
0003131165.tif 000005
【図４】
0003131165.tif 000006
【図５】
0003131165.tif 000007
【図６】
0003131165.tif 000008
【図７】
0003131165.tif 000009
【図８】
0003131165.tif 000010
【図９】
0003131165.tif 000011
(57)【要約】      （修正有）【課題】癒しの効果がある流下方法を見い出し、癒しの空間の創造が可能なつたい滝を提供する。【解決手段】上記の課題を解決する手段としては、貯留池から循環装置を介して上部に汲み上げ、減勢装置により減勢された水（温水を含む）を流下させる人工滝において、越流部を曲率半径が５０ｍｍ〜１５０ｍｍの円弧とする堰頂と、堰頂における接近流速を一様にするために設けられる堰頂と接する上流側に水平に対して４゜〜８゜の逆勾配部と堰頂の下流側には堰頂と接して設けられる鉛直に対して１０゜〜１７゜の俯角を持つ壁面とから構成し、少なくとも俯角面部の材質は水が有するの付着の性質を利用するため、付着量が多くなる濡れ性が優れたものを使用する。【選択図】図２
0003131167.tif 000002
【実用新案登録請求の範囲】
【請求項１】
貯留池から循環装置を介して滝上部に汲み上げ、減勢装置により減勢された水を流下させる人工滝において、越流部を円弧とする堰頂と、堰頂における接近流速を一様にするために設けられる堰頂と接する上流側に設ける水平に対して４゜〜８゜の逆勾配部と、堰頂の下流側には堰頂と接して設けられる鉛直に対して１０゜〜１７゜の俯角を持つ俯角面部とから構成し、少なくとも俯角面部の材質は水が有する付着の性質を利用するため、付着量が多くなる濡れ性が優れたものを使用し、癒しの効果を有することを特徴とするつたい滝。
【考案の詳細な説明】
【技術分野】
【０００１】
本考案は、水（以下温水を含む）が有する付着の性質を利用して流下させる人工滝、特につたい滝に関する。
【背景技術】
【０００２】
従来の人工滝は、その流下方法において壁面をつたって流下させるものとそうでないものの大別して２種類があったが、癒し効果に着目したものはなかった。
科学技術の急減な進歩により、とりまく社会環境の著しい変化に対応するため、癒しが重要視されており、癒しの空間を創造する設備の誕生が望まれている。
類似の特許文献としては、特開２００５−２５４５２２，特開平５−２３７４２５があるが、癒し効果について言及した記述はない。
【特許文献−１】特開２００５−２５４５２２
【特許文献−２】特開平５−２３７４２５
【考案の開示】
【考案が解決しようとする課題】
【０００３】
本考案は、以上のような現状に鑑みなされたものであり、癒しの効果がある流下方法を見い出し、癒しの空間の創造が可能となり、前述の欠点を解決しようとするものである。
【課題を解決するための手段】
【０００４】
上記の課題を解決する手段としては、貯留池から循環装置を介して滝上部に汲み上げ、減勢装置により減勢された水を流下させる人工滝において、越流部を曲率半径が５０ｍｍ〜１５０ｍｍの円弧とする堰頂と、堰頂における接近流速を一様にするために設けられる堰頂と接する上流側に水平に対して４゜〜８゜の逆勾配部と堰頂の下流側には堰頂と接して設けられる鉛直に対して１０゜〜１７゜の俯角を持つ壁面とから構成し、少なくとも俯角面部の材質は、水が有する付着の性質を利用するため、付着量が多くなる濡れ性が優れたものを使用する。
【考案の効果】
【０００５】
本考案は、以上説明したように構成されているので、以下に記載されているような効果を奏する。
【０００６】
流水の流れが上流側逆勾配部（２）により制動状態となるため、一様な流速となって越流し、俯角面に沿って流下することにより、癒しの空間を創造する。
【０００７】
清涼感溢れ、すがすがしい空間を創造でき、景観に適合できる。
【考案を実施するための最良の形態】
【０００８】
考案の実施の形態について図面を参照して説明する。
【実施例】
【０００９】
以下、添付図面に従って一実施例を説明する。
【００１０】
滝は、上部、中間部、下部から構成される。
【００１１】
上部は、堰頂（３）の曲率半径（４）が５０ｍｍ〜１５０ｍｍの円弧とし、堰頂の上流側に堰頂と接して設ける水平部（１）に対して４゜〜８゜の上流側逆勾配部（２）、堰頂の下流側に堰頂と接して設ける鉛直に対して１０゜〜１７゜の俯角を持つ壁面とする俯角面部（５）、水を安全に流下させるための側壁（６）及び循環水が堰頂での接近流速を抑制するための減勢装置（９）から構成される。
【００１２】
中間部は、上部と下部を接続する連結壁（７）、流下した水を上部へ循環させるため装置（８）から構成される。
【００１３】
下部は、上部から流下した水を一時的に貯留する池から構成される。
【００１４】
材質は、濡れ性および経年変化を考慮し、少なくとも俯角面部は鉄、ステンレス、セラミックス、アクリル、アルミニュウム、プラスチック、大理石、御影石等とする。
【産業上の利用可能性】
【００１５】
本考案は、人の集まる場所で癒しを必要とする施設、具体的には、宿泊施設（旅館，ホテル等）、飲食施設（レストラン，割烹等）、保養施設（公園，病院，老人ホ−ム，遊園地，ゴルフ場，レジャ−ランド等）、その他施設（駅等）に設置される人工滝として利用できる。前述の滝の設置方式は移動式でも固定式でも構わない。
【図面の簡単な説明】
【００１６】
以下、考案を実施するための最良形態を、図面により詳細に説明する。
【図１】滝の平面図である。
【図２】滝の縦断面図である。
【図３】滝の正面図である。
【図４】滝の越流部縦断面詳細図である。
【符号の説明】
【００１７】
１：上流側水平部                            
２：上流側逆勾配部    
３：堰頂                
４：曲率半径                 
５：俯角面部  
６：側壁
７：連結壁
８：循環装置
９：減勢装置 
10：越流部
【図１】
0003131167.tif 000003
【図２】
0003131167.tif 000004
【図３】
0003131167.tif 000005
【図４】
0003131167.tif 000006